(57)【特許請求の範囲】
【請求項１】
センタ装置から端末側に伝送線を介して所定周波数帯域の下り信号が伝送されると共に、
端末からセンタ装置側に該伝送線を介して該下り信号とは異なる所定周波数帯域の上り信号が伝送される双方向ＣＡＴＶシステムであって、
前記伝送線の端末側に設けられ、前記下り信号を受信する受信端末と、前記上り信号をセンタ装置側へ送信する情報端末と、を接続するための中継手段を備え、
前記中継手段は、
前記伝送線と前記受信端末及び前記情報端末とを夫々接続する２系統の伝送経路を形成する分岐又は分配回路からなる分岐分配手段と、
該分岐分配手段から前記受信端末に至る伝送経路に配置され、前記上り信号の通過を遮断し、前記下り信号を選択的に通過させる下り信号通過手段と、
該分岐分配手段と該下り信号通過手段との間の伝送経路に設けられ、前記上り信号を吸収する上り信号吸収手段と、
からなることを特徴とする双方向ＣＡＴＶシステム。
【請求項２】
請求項１に記載の双方向ＣＡＴＶシステムにおいて、
前記上り信号は、前記下り信号よりも低い周波数からなり、
前記中継手段の前記下り信号通過手段は、
前記下り信号を選択的に通過させるために、前記分岐分配手段と前記受信端末との間の伝送経路に配置されたハイパスフィルタからなり、
前記中継手段の前記上り信号吸収手段は、
該上り信号を通過させるために、該分岐分配手段と該下り信号通過手段との間の伝送経路に一端が接続されたローパスフィルタと、
該上り信号を吸収するために、該ローパスフィルタの他端に接続された終端抵抗と、
からなることを特徴とする双方向ＣＡＴＶシステム。
【請求項３】
請求項２に記載の双方向ＣＡＴＶシステムにおいて、
分岐又は分配された端末側の複数の前記伝送線上の夫々に設けられ、前記下り信号を端末側に送出すると共に、前記上り信号を前記下り信号より高い周波数の信号に変換してセンタ装置側に送出するアップコンバータと、
該複数のアップコンバータよりセンタ装置側の前記伝送線上に設けられ、前記下り信号を端末側に送出すると共に、該アップコンバータにより高い周波数の信号に変換された前記上り信号を、変換前の前記上り信号に復元して、センタ装置側に送出するダウンコンバータと、
を備え、
前記中継手段は、前記アップコンバータの端末側に内蔵されていることを特徴とする双方向ＣＡＴＶシステム。
【請求項４】
請求項１に記載の双方向ＣＡＴＶシステムにおいて、
前記上り信号は、前記下り信号よりも低い周波数の第１上り信号と、前記下り信号よりも高い周波数の第２上り信号と、により構成され、
前記中継手段の前記下り信号通過手段は、
前記下り信号を選択的に通過させるために、前記分岐分配手段と前記受信端末との間の伝送経路に配置されたバンドパスフィルタからなり、
前記中継手段の前記上り信号吸収手段は、
該第１上り信号を通過させるために、該分岐分配手段と該下り信号通過手段との間の伝送経路に一端が接続されたローパスフィルタと、
該第１上り信号を吸収するために、該ローパスフィルタの他端に接続された第１終端抵抗と、
該第２上り信号を通過させるために、該分岐分配手段と該下り信号通過手段との間の伝送経路に一端が接続されたハイパスフィルタと、
該第２上り信号を吸収するために、該ハイパスフィルタの他端に接続された第２終端抵抗と、
からなることを特徴とする双方向ＣＡＴＶシステム。
【発明の詳細な説明】
【０００１】
【発明の属する技術分野】
本発明は、センタ装置と端末との間で双方向に信号が伝送される双方向ＣＡＴＶシステムに関する。
【０００２】
【従来の技術】
従来より、センタ装置から端末側に伝送される下り信号及び端末からセンタ装置側に伝送される上り信号が、共通の伝送線を介して伝送される双方向ＣＡＴＶシステムがある。
【０００３】
一般的な双方向ＣＡＴＶシステムは、センタ装置から７０ＭＨｚ〜７７０ＭＨｚの周波数帯域の下り信号が送出され、端末側に設置されたケーブルモデムなどの情報端末から１０ＭＨｚ〜５５ＭＨｚの周波数帯域の信号にデータ信号をのせた上り信号が、センタ装置側に送出されている。また、最近では、上り信号を従来の１０ＭＨｚ〜５５ＭＨｚの周波数帯域に加えて、下り信号より高い周波数帯域を使用して伝送する双方向ＣＡＴＶシステムもある。
【０００４】
そして、このような双方向ＣＡＴＶシステムでは、上り信号と下り信号とを伝送するための伝送線として、建造物内では、外部の幹線から分岐された引込線が保安器に接続され、屋内では、同軸ケーブルで構成される屋内伝送線が、保安器に接続された引込線から延長され、分岐器又は分配器（以下、分岐／分配器）によって、分岐又は分配（以下、分岐／分配）されて、建造物内の各階、各室内に配線されている。
【０００５】
そして更に、通常は、センタ装置から建造物内の端末側までの伝送線上において、伝送ロスにより信号レベルが低下した下り信号及び上り信号を増幅するための信号増幅器（以下、アンプ）が、適宜配置されており、これによって、上り信号及び下り信号の信頼性を保持している。
【０００６】
ところで、このような双方向ＣＡＴＶシステムでは、各階、各室内で、テレビ（ＴＶ）信号などの下り信号を受信するテレビ受像機（以下、単に「テレビ（ＴＶ）」と表現する。）等の受信端末や、センタ装置にデータ信号をのせた上り信号を送信するケーブルモデム等の情報端末がそれぞれ接続できるように、通常、屋内伝送線が受信端末側と情報端末側とに分岐／分配されている。
【０００７】
そして、これにより、例えば、受信端末側の屋内伝送線にテレビを接続すれば、センタより提供されるＴＶ番組が視聴できるし、情報端末側の屋内伝送線にケーブルモデムを接続すれば、パーソナルコンピュータ（以下、パソコン）を用いて、インターネットへのアクセス等ができるようになっている。
【０００８】
【発明が解決しようとする課題】
しかしながら、既述のように双方向ＣＡＴＶシステムにおいて、端末側に延長された伝送線を受信端末を接続するための伝送線と、情報通信端末を接続するための伝送線とに分岐／分配する場合には、以下のような問題点があった。
【０００９】
つまり、伝送線を受信端末側と情報端末側に分岐／分配器を用いて分岐／分配すると、情報端末側から送信された信号レベルの高い上り信号が分岐／分配器を介して、受信端末側に漏れ信号として伝送されてしまうのである。
この漏れ信号が発生する現象は、通常の分岐／分配器で起こる現象であり、例えば、入力端子から入力された信号を二つの出力端子に分配する分配器では、入力端子からの信号は、二つの出力端子のそれぞれから入力信号の半分の信号レベルで（換言すると、分配損失３ｄＢで）出力されるだけでなく、一方の出力端子から信号を入力すると、その信号は、２０ｄＢ程度の端子間結合損失を受けて、他方の出力端子から出力されるのである。
【００１０】
そのため、一方の出力端子に情報端末からの上り信号が入力されると、端子間結合損失を受けて信号レベルが抑えられつつも、他方の出力端子、つまり、受信端末側に漏れ信号としての上り信号が伝送され、この受信端末側に漏れ出た上り信号は、ノイズとして下り信号に影響を及ぼしてしまうのである。特に、通常の双方向ＣＡＴＶシステムでは、情報端末から送信される上り信号をセンタ装置へ確実に伝送させるために、ケーブルモデム等の情報端末付近において、上り信号が、その伝送線における下り信号より高い信号レベルで伝送されているから、漏れ信号としての上り信号の信号レベルの方が下り信号より高くなって、該上り信号が下り信号に大きい影響を及ぼし、例えば、ＴＶ信号の場合にあっては、ＴＶ画面にちらつきが発生したりする原因となっていた。
【００１１】
尚、このような漏れ信号が受信端末側に伝送されないようにするため、下り信号の周波数に該当する信号だけを通過させるためのハイパスフィルタ（ＨＰＦ）を受信端末側の伝送経路に設置した双方向ＣＡＴＶシステムが既に知られている。
【００１２】
しかしながら、このような双方向ＣＡＴＶシステムであっても、情報端末が出力する上り信号の高調波成分や、受信端末側に漏れ出した上り信号がアンプ等を通過する際に発生する上り信号の高調波歪が、下り信号に妨害を与える可能性があり、上り信号による影響は十分に解決されているとは言い難かった。
【００１３】
本発明は、こうした問題に鑑みなされたものであり、情報端末から送信される上り信号が、分岐／分配器を介して受信端末側の伝送線に漏れだして下り信号の伝送を妨害するのを抑制することを目的とする。
【００１４】
【課題を解決するための手段】
かかる目的を達成するため、請求項１に記載の双方向ＣＡＴＶシステムは、センタ装置から端末側に伝送線を介して所定周波数帯域の下り信号が伝送されると共に、端末からセンタ装置側に該伝送線を介して該下り信号とは異なる所定周波数帯域の上り信号が伝送される双方向ＣＡＴＶシステムにおいて、伝送線の端末側に、該下り信号を受信する受信端末と、該上り信号をセンタ装置側へ送信する情報端末と、を接続するための中継手段を備えている。
【００１５】
そして中継手段は、伝送線の端末側に、伝送線と受信端末及び情報端末に接続する２系統の伝送経路を形成する分岐又は分配回路からなる分岐分配手段を備えている。つまり、中継手段は、該分岐分配手段により、該伝送線を分岐又は分配し、受信端末側の伝送経路と、情報端末側の伝送経路とを形成して、これにより、受信端末側の伝送経路に受信端末を接続可能とし、情報端末側の伝送経路に受信端末を接続可能としている。
【００１６】
さらに、中継手段は、該分岐分配手段から受信端末に至る伝送経路に、上り信号の通過を遮断して下り信号を選択的に通過させる下り信号通過手段を備え、該分岐分配手段と該下り信号通過手段との間の伝送経路には、該分岐分配手段を介して該受信端末側に伝送される該上り信号を吸収する上り信号吸収手段を備えている。
【００１７】
すなわち、請求項１に記載の双方向ＣＡＴＶシステムでは、受信端末側に伝送される上り信号の通過を下り信号通過手段で阻止し、中継手段の受信端末側の伝送経路に接続された受信端末には、下り信号通過手段を介して伝送された下り信号を選択的に伝送している。そして、中継手段の情報端末側の伝送経路に接続された情報端末、又は、該中継手段よりセンタ装置側にあって中継手段に繋がる伝送経路に接続された他の情報端末、から送信された上り信号の内、中継手段の分岐分配手段を介して受信端末側に伝送する上り信号を、中継手段と下り信号通過手段との間の伝送経路に設けられた上り信号吸収手段に伝送し、該上り信号吸収手段で吸収させて消滅させている。
【００１８】
したがって、請求項１の双方向ＣＡＴＶシステムでは、下り信号通過手段によって、受信端末に上り信号が入力されるのを防止することができ、さらに、上り信号吸収手段が受信端末側への漏れ信号となる上り信号を吸収することにより、情報端末が送出する上り信号の高調波成分や、双方向ＣＡＴＶシステム内で適宜配置された信号増幅器等の非線形な入出力特性を有する素子により発生する高調波成分が、分岐分配手段と下り信号通過手段との間の伝送経路において、下り信号の伝送を妨害するのを抑制することができ、受信端末に上り信号の妨害による影響が及ぶのを抑制することができる。
【００１９】
請求項２に記載の発明は、下り信号と、下り信号よりも低い周波数からなる上り信号と、が伝送される双方向ＣＡＴＶシステムにおいて、前記下り信号通過手段及び前記上り信号吸収手段を適切に構成した請求項１に記載の双方向ＣＡＴＶシステムである。
【００２０】
つまり、前記中継手段の前記下り信号通過手段を、ハイパスフィルタで構成して、前記分岐分配手段から前記受信端末に至る伝送経路に配置することにより、上り信号より高い周波数で伝送される下り信号を選択的に通過させている。
そして、中継手段の前記上り信号吸収手段を、ローパスフィルタ及び終端抵抗で構成しており、ローパスフィルタの一端を、該分岐分配手段と該下り信号通過手段との間の伝送経路に接続し、該ローパスフィルタの他端に、該上り信号を吸収するための終端抵抗を接続している。
【００２１】
したがって、請求項２に記載の双方向ＣＡＴＶシステムにおいて、該分岐分配手段と該下り信号通過手段との間の伝送経路を伝送する上り信号は、ローパスフィルタを通過して終端抵抗に到達すると、終端抵抗により吸収されて熱エネルギーとして外部に発散される。
【００２２】
この結果、請求項２に記載の双方向ＣＡＴＶシステムによれば、上り信号及び下り信号が伝送される双方向ＣＡＴＶシステムにおいて、ハイパスフィルタにより下り信号を選択的に受信端末に伝送させることができ、さらに、終端抵抗で上り信号を吸収することができるから、受信端末側の伝送経路に漏れ出た上り信号が下り信号の伝送を妨害するのを抑制することができ、受信端末に上り信号による影響が及ぶのを抑制することができる。
【００２３】
請求項３に記載の発明は、請求項２に記載の双方向ＣＡＴＶシステムにおいて、アップコンバータと、ダウンコンバータを備え、中継手段をアップコンバータの端末側に内蔵した双方向ＣＡＴＶシステムである。
つまり、前記下り信号を端末側に送出すると共に、前記上り信号を前記下り信号より高い周波数の信号に変換してセンタ装置側に送出するアップコンバータの端末側の内部に中継手段を設けて、該アップコンバータを、センタ装置側のダウンコンバータから端末側に分岐又は分配された複数の前記伝送線上に、配置している。
【００２４】
そして、下り信号を端末側に送出すると共に、該アップコンバータにより高い周波数の信号に変換された上り信号を変換前の上り信号に復元してセンタ装置側に送出するダウンコンバータを、該アップコンバータよりセンタ装置側の前記伝送線上に設けている。
【００２５】
すなわち、請求項３に記載の双方向ＣＡＴＶシステムにおいて、情報端末から送信される上り信号は、まず、アップコンバータに内蔵された中継手段に入力される。そして、該上り信号の内、受信端末側に伝送された上り信号は、上り信号吸収手段であるローパスフィルタ及び終端抵抗により吸収され、センタ装置側に伝送された上り信号は、アップコンバータで高い周波数に周波数変換されて、アップコンバータよりセンタ装置側に位置するダウンコンバータに送出される。そして、該ダウンコンバータにおいて、アップコンバータで周波数変換された上り信号は、周波数変換前の上り信号に復元されセンタ装置に送出される。また、ダウンコンバータ及びアップコンバータでは、センタ装置側から端末側へ伝送される信号として、下り信号が選択的に端末側に送出され、中継手段では、アップコンバータより受信端末側に送出された下り信号が下り信号通過手段であるハイパスフィルタを介して受信端末に入力される。
【００２６】
したがって、請求項３に記載の双方向ＣＡＴＶシステムによれば、アップコンバータに内蔵された中継手段により受信端末側に伝送される上り信号の下り信号への妨害の影響を抑制することができるのみならず、アップコンバータと、ダウンコンバータとの間の伝送経路において、外部から伝送線上に入力された低周波ノイズにより、上り信号の伝送が妨害され、上り信号によって搬送されるデータ信号などの情報の信頼性が低下するのを抑制することができる。
【００２７】
つまり、上り信号が下り信号より低い周波数の信号であり、共通の伝送線より分岐若しくは分配された複数の伝送経路に情報端末が接続されている双方向ＣＡＴＶシステムにおいて、複数の情報端末から送出される低周波ノイズや、建造物内に設置された電化製品から発生する低周波ノイズが、流合雑音として、共通の伝送線上に集積されることにより、その低周波ノイズが大きく上り信号に影響を与えて、上り信号の伝送を妨害し、上り信号に含まれる情報が損なわれて、データ信号としての上り信号の信頼性が低下するという従来の問題を抑制することができるのである。
【００２８】
また、さらに、中継手段は、アップコンバータに内蔵されているから、上り信号と下り信号の伝送経路に、アップコンバータとダウンコンバータとを設置するだけで、中継手段を備えることによる上り信号の下り信号への妨害の影響を抑制する効果と、周波数変換することによる上り信号の信頼性を保持する効果とを、併せ持つ双方向ＣＡＴＶシステムを簡単に構築することができるのである。
【００２９】
請求項４に記載の発明は、前記下り信号よりも低い周波数の第１上り信号と、下り信号よりも高い周波数の第２上り信号と、からなる上り信号が伝送される請求項１に記載の双方向ＣＡＴＶシステムにおいて、前記下り信号通過手段及び前記上り信号吸収手段を適切に構成した双方向ＣＡＴＶシステムである。
【００３０】
すなわち、中継手段の前記下り信号通過手段を、バンドパスフィルタとして、前記分岐分配手段から前記受信端末に至る伝送経路に配置することにより、第１上り信号と第２上り信号との間の周波数により伝送される下り信号を選択的に通過させている。
【００３１】
そして、中継手段の前記上り信号吸収手段を、ローパスパスフィルタ、ハイパスフィルタ、及び二つの終端抵抗により構成することにより、第１上り信号と第２上り信号を吸収している。つまり、ローパスフィルタの一端を、分岐分配手段と下り信号通過手段との間の伝送経路に接続し、該ローパスフィルタの他端に、第１上り信号を吸収するための第１終端抵抗を接続している。そして、ハイパスフィルタの一端を、該分岐分配手段と該下り信号通過手段との間の伝送経路に接続し、該ハイパスフィルタの他端に、第２上り信号を吸収するための第２終端抵抗を接続しているのである。
【００３２】
したがって、請求項４に記載の双方向ＣＡＴＶシステムでは、分岐分配手段と下り信号通過手段との間の伝送経路を伝送する上り信号の内、第１上り信号は、ローパスフィルタを通過して第１終端抵抗に到達すると、該第１終端抵抗により吸収されて、熱エネルギーとして外部に発散され、第２上り信号は、ハイパスフィルタを通過して第２終端抵抗に到達すると、該第２終端抵抗により吸収されて、熱エネルギーとして外部に発散される。
【００３３】
この結果、請求項４に記載の双方向ＣＡＴＶシステムによれば、第１上り信号、第２上り信号及び下り信号が伝送される双方向ＣＡＴＶシステムにおいて、バンドパスフィルタにより下り信号を選択的に受信端末に伝送させることができ、さらに、第１終端抵抗と第２終端抵抗とにより第１上り信号と、第２上り信号とを吸収することができるから、受信端末側の伝送経路に漏れ出た第１上り信号及び第２上り信号からなる上り信号が下り信号の伝送を妨害するのを抑制することができ、受信端末に上り信号による影響が及ぶのを抑制することができる。
【００３４】
【発明の実施の形態】
以下に本発明の実施例について、図面とともに説明する。
図１は、本発明が適用された第１実施例の双方向ＣＡＴＶシステム１の全体の構成を表す説明図である。そして、図２は、第１実施例の双方向ＣＡＴＶシステム１に用いられ、本発明の中継手段に相当する中継装置３の外形を表す斜視図であり、図３は、中継装置３，４の内部の構成を表すブロック図である。
【００３５】
図１に示すように、第１実施例の双方向ＣＡＴＶシステム１では、下り信号と上り信号を伝送する伝送線として、センタ装置となるヘッドエンド５（ＨＥ５）から延長された幹線Ｌ１と、幹線Ｌ１からタップオフ７を用いて分岐され建造物内の保安器９に接続された引込線Ｌ２と、保安器９からアンプ１１を介して屋内に配線された屋内伝送線Ｌ３と、を備えている。尚、ここで、タップオフとは、分岐器に分配回路を内蔵したものであり、図１に図示しない複数の建造物内に、引込線を接続可能とするものである。
【００３６】
つまり、同軸ケーブルからなる伝送線としての幹線Ｌ１、引込線Ｌ２、屋内伝送線Ｌ３〜Ｌ７は、ヘッドエンド５より屋内の端末側へ延設されている。
そして、屋内伝送線Ｌ３は、下り信号を端末側に分配する分配器１２により各部屋に分配され、分配された屋内伝送線Ｌ４は各部屋に設けられたＣＡＴＶ端子１３に接続されることにより、各部屋に繋がる伝送経路を形成している。
【００３７】
そして、また、ＣＡＴＶ端子１３から室内に延びる屋内伝送線Ｌ５は、本発明の中継手段である中継装置３（後述）のＣＡＴＶ入出力端子Ｔ１に接続され、中継装置３に形成された情報端末用端子Ｔ２から延びる屋内伝送線Ｌ６の端末側の先には、情報端末としてのケーブルモデム１５が接続され、ケーブルモデム１５の先にはパソコン１７が接続されている。また、中継装置３に形成された受信端末用端子Ｔ３から延びる屋内伝送線Ｌ７の端末側の先には、受信端末としてのＴＶ１９が接続されている。
【００３８】
そして、第１実施例の双方向ＣＡＴＶシステム１では、上記伝送線を介して、ヘッドエンド５から受信端末（ＴＶ１９）及び情報端末（ケーブルモデム１５）へ、７０ＭＨｚ〜７７０ＭＨｚの周波数帯域の下り信号が送出され、情報端末（ケーブルモデム１５）からヘッドエンド５へ、１０ＭＨｚ〜５５ＭＨｚの周波数帯域の上り信号が送出される。
【００３９】
ここで、中継装置３は、図２（ａ）に示すように、壁面に中継装置３を固定するためのケース２６ａを備えている。そして、ケース２６ａには、直方体状で中空状のケース本体２１ａの一面に、Ｆ型接栓Ｓ１と、Ｆ型接栓Ｓ２と、Ｆ型接栓Ｓ３と、が突設され、このＦ型接栓Ｓ１，Ｓ２，Ｓ３が形成された面に対向する面の縁端に、板状部材に螺子孔２３ａが形成された取付部２５ａが突設されている。つまり、取付部２５ａの螺子孔２３ａを用いて壁面にケース本体２１ａを固定することができるようになっているのである。
【００４０】
尚、中継装置３の内部で、Ｆ型接栓Ｓ１は、ＣＡＴＶ入出力端子Ｔ１に接続され、Ｆ型接栓Ｓ２は、情報端末用端子Ｔ２に接続され、Ｆ型接栓Ｓ３は、受信端末用端子Ｔ３に接続されている。すなわち、中継装置３の外部において、Ｆ型接栓Ｓ１は、ＨＥ側の屋内伝送線Ｌ５に接続され、Ｆ型接栓Ｓ２は、情報端末側の屋内伝送線Ｌ６に接続され、Ｆ型接栓Ｓ３は、受信端末側の屋内伝送線Ｌ７に接続されることとなる。
【００４１】
また尚、中継装置３は、図２（ａ）のケース２６ａに代えて、図２（ｂ）に示すケース２６ｂを使用することもできる。
詳述すると、ケース２６ｂは、図２（ｂ）に示すように直方体状で中空状のケース本体２１ｂと、壁面にケース本体２１ｂを固定するための螺子孔２３ｂが形成された取付部２５ｂと、を備え、ケース本体２１ｂの上側面には、ＨＥ側の伝送線に接続されるＦ型接栓Ｓ１が突設されている。
【００４２】
そして、Ｆ型接栓Ｓ１が形成された面と対向する面には、情報端末側の伝送線に接続されるＦ型接栓Ｓ２と、受信端末側の伝送線に接続されるＦ型接栓Ｓ３と、が突設され、ＨＥ側の伝送線に接続されるＦ型接栓Ｓ１が配置される面に垂直に交わるケース本体２１ｂの一面の左右縁端には、取付部２５ｂが突設されている。
【００４３】
つまり、双方向ＣＡＴＶシステム１では、中継装置３のケース本体２１ａ，２１ｂに突設された取付部２５ａ，２５ｂの螺子孔２３ａ，２３ｂから螺子を挿入して、壁に固定することにより、中継装置３を簡単に壁に固定して双方向ＣＡＴＶシステム１を構築できるようになっているのである。尚、図２（ａ）、図２（ｂ）に示したケース２６ａ，２６ｂには、Ｆ型接栓に代えて、ＦＴ型接栓を取り付けてもよい。
【００４４】
次に、この図１、図２（ａ）（ｂ）に示した建造物内で使用される中継装置３の内部の構成について、図３を用いて説明する。尚、図３は、中継装置３，４の内部の構成を表す説明図であり、図３（ａ）は分岐分配手段として分配回路２７を備えた分配型の中継装置３の内部の構成を表すブロック図、図３（ｂ）は、分岐分配手段として分岐回路２９を備えた分岐型の中継装置４についての内部の構成を表すブロック図、図３（ｃ）は、受信端末側で混入される低周波ノイズを吸収するための終端抵抗を備えた中継装置４についての内部の構成を表すブロック図である。
【００４５】
中継装置３は、図３（ａ）に示すように、分配回路２７、ハイパスフィルタ（ＨＰＦ）３１、ローパスフィルタ（ＬＰＦ）３３、終端抵抗（Ｒ）３３ｒ、ＣＡＴＶ入出力端子Ｔ１、情報端末用端子Ｔ２、及び、受信端末用端子Ｔ３を備えている。
【００４６】
そして、ＣＡＴＶ入出力端子Ｔ１は、外部で図２で示すＦ型接栓Ｓ１に接続されており、このＦ型接栓Ｓ１を介してＨＥ５へ至る伝送線に接続される。また、情報端末用端子Ｔ２及び受信端末用端子Ｔ３は、夫々、Ｆ型接栓Ｓ２，Ｓ３に接続されており、Ｆ型接栓Ｓ２を介して情報端末を接続可能とし、Ｆ型接栓Ｓ３を介して受信端末を接続可能としている。
【００４７】
また、分配回路２７は、ＨＥ側で、ＣＡＴＶ入出力端子Ｔ１に接続され、分配回路２７とＣＡＴＶ入出力端子Ｔ１との間で上り信号と下り信号とを伝送する入出力伝送路Ｌ８を形成し、更に、端末側で、情報端末用端子Ｔ２に接続され、分配回路２７と情報端末用端子Ｔ２との間を結ぶ送受信伝送路Ｌ９を形成すると共に、受信端末用端子Ｔ３に接続され、分配回路２７と受信端末用端子Ｔ３との間を結ぶ受信伝送路Ｌ１０を形成している。
【００４８】
つまり、ＣＡＴＶ入出力端子Ｔ１から入力された下り信号は、分配回路２７で、情報端末用端子Ｔ２側と、受信端末用端子Ｔ３側と、に分配され、情報端末用端子Ｔ２から入力された上り信号は、送受信伝送路Ｌ９より分配回路２７を介して入出力伝送路Ｌ８上を伝搬し、ＣＡＴＶ入出力端子Ｔ１よりＨＥ側に送出されるのである。
【００４９】
ただし、既述の通り、上り信号のごく一部は、分配回路２７の分配側の端子間結合により、送受信伝送路Ｌ９から受信伝送路Ｌ１０へに漏れ出ることとなるため、中継装置３のＨＰＦ３１、ＬＰＦ３３、終端抵抗３３ｒは、漏れ信号による受信端末の影響を抑制するために、次のように配置されている。
【００５０】
すなわち、ＨＰＦ３１は、カットオフ周波数を７０ＭＨｚに設定されて、分配回路２７と受信端末用端子Ｔ３との間の受信伝送路Ｌ１０上に配置され、分配回路２７を介して受信端末側に伝送された下り信号をＨＰＦ３１で選択的に受信端末側に伝送するようにし、下り信号より低い周波数の信号を、ＨＰＦ３１で遮断して受信端末側に伝送しないようにしている。
【００５１】
そして更に、ＨＰＦ３１より分配回路２７側となる受信伝送路Ｌ１０には、カットオフ周波数が５５ＭＨｚに設定されたＬＰＦ３３の入力端子が接続され、ＬＰＦ３３の出力端子には、終端抵抗３３ｒが接続されている。
つまり、双方向ＣＡＴＶシステム１において、情報端末用端子Ｔ２から中継装置３の内部に入力された上り信号の内、分配回路２７を介して、受信伝送路Ｌ１０上に伝送された漏れ信号である上り信号は、ＨＰＦ３１により、受信端末用端子Ｔ３への通過を阻止される一方、ＬＰＦ３３を通過して、終端抵抗３３ｒで吸収され、熱エネルギーとして外部に発散されるのである。尚もちろん、終端抵抗３３ｒでは、受信伝送路Ｌ１０を伝送する上り信号だけではなく、上り信号周波数帯域のノイズも吸収される。
【００５２】
また、双方向ＣＡＴＶシステム１では、図３（ａ）に示す中継装置３の代わりに、中継装置３の分配回路２７を、下り信号を情報端末側と受信端末側に分岐する分岐回路２９、に変更した図３（ｂ）の中継装置４を使用することもできる。
すなわち、図３（ｂ）に示す中継装置４は、内部に、分岐回路２９、ＨＰＦ３１、ＬＰＦ３３、終端抵抗（Ｒ）３３ｒ、ＣＡＴＶ入出力端子Ｔ１、情報端末用端子Ｔ２、及び、受信端末用端子Ｔ３、を備えている。そして、Ｆ型接栓Ｓ１に接続されたＣＡＴＶ入出力端子Ｔ１は、中継装置４の内部で分岐回路２９のＨＥ側に接続され、分岐回路２９の端末側には、情報端末用端子Ｔ２に繋がる送受信伝送路Ｌ９と、受信端末用端子Ｔ３に繋がる受信伝送路Ｌ１０とが形成されている。
【００５３】
そして、受信伝送路Ｌ１０上には、ＨＰＦ３１が配置され、ＨＰＦ３１より分岐回路２９側の受信伝送路Ｌ１０には、ＬＰＦ３３の入力端子が接続され、ＬＰＦ３３の出力端子には終端抵抗３３ｒが接続されている。尚、図３（ｂ）に示す中継装置４では、分岐回路２９により形成された二つの伝送経路のうち、下り信号の出力レベルが小さい支線側に、送受信伝送路Ｌ９を形成しているが、特に、このような態様に限定して構成することを示しているものではなく、支線側に、受信伝送路Ｌ１０を形成して、他方の伝送経路に送受信伝送路Ｌ９を形成してもよい。
【００５４】
また、双方向ＣＡＴＶシステム１では、図３（ａ）、図３（ｂ）に示す中継装置３，４のＨＰＦ３１と受信端末用端子Ｔ３との間に、外部から受信端末用端子Ｔ３に混入される低周波ノイズを吸収するための終端抵抗を設けることもできる。
【００５５】
つまり、例えば、図３（ｃ）に示すように、中継装置４のＨＰＦ３１と受信端末用端子Ｔ３との間の伝送経路に、下り信号の周波数帯域より低い周波数にカットオフ周波数が設定されたＬＰＦ３４の入力端子を接続して、出力端子に、終端抵抗（Ｒ）３４ｒを接続してもよい。このようにすると、外部の電化製品等から受信端末用端子Ｔ３に混入される低周波ノイズをＬＰＦ３４で終端抵抗３４ｒに流し、終端抵抗３４ｒで吸収して熱に変換することができて、受信端末に低周波ノイズが入力されるのを抑制することができる。
【００５６】
次に、ヘッドエンド５より延長される幹線Ｌ１から、情報端末側と受信端末側とに延びる２系統の引込線を建造物内に延設可能とするために発明した、従来の分岐回路及び分配回路を内蔵したタップオフの機能を有する中継装置３７、及び、中継装置３７を使用した第１実施例の双方向ＣＡＴＶシステム３９、について図４、図５を用いて説明する。尚、図４は、幹線Ｌ１に設置可能な中継装置３７に関する説明図であり、図４（ａ）は、中継装置３７より構成される双方向ＣＡＴＶシステム３９の構成を表す説明図、図４（ｂ）は、中継装置３７の外形を示す斜視図である。また、図５は、図４（ｂ）に示す中継装置３７の内部の構成を表すブロック図である。
【００５７】
図４（ａ）に示すように、双方向ＣＡＴＶシステム３９では、ヘッドエンド５（ＨＥ５）から延長された幹線Ｌ１上に中継装置３７を設けて、中継装置３７の情報端末用端子Ｔ２及び受信端末用端子Ｔ３から引込線Ｌ１１，Ｌ１２を建造物内の保安器９に接続し、保安器９から屋内に情報端末用の屋内伝送線と、受信端末用の屋内伝送線とを敷設している。
【００５８】
すなわち、中継装置３７は、図４（ｂ）に示すように、直方体状で中空のケース本体４１の一面に、曲折された板状部材からなる固定具４５を備えており、幹線Ｌ１に平行となるように架設されたメッセンジャーワイヤー４３（以下、単に、「ワイヤー４３」とする。）を、ケース本体４１と固定具４５との間に形成された間隙に貫入することによって、中継装置３７をワイヤー４３に固定できるようになっている。
【００５９】
また、中継装置３７は、固定具４５が形成されたケース本体４１の面とは反対側の面に、中継装置３７の内部で情報端末用端子Ｔ２に接続されたＦ型接栓Ｓ２と、受信端末用端子Ｔ３に接続されたＦ型接栓Ｓ３と、を備え、更に、固定具４５が形成されたケース本体４１の面に対して直交する面に、第１ＣＡＴＶ接続端子Ｔ４に接続されたＦ型接栓Ｓ４を、Ｆ型接栓Ｓ４を有する面と対向する面に、第２ＣＡＴＶ接続端子Ｔ５に接続されたＦ型接栓Ｓ５を備えている。尚、Ｆ型接栓の代わりにＦＴ型接栓を使用してもよい。
【００６０】
そして、双方向ＣＡＴＶシステム３９では、図４（ｂ）に示すように、中継装置３７のＦ型接栓Ｓ４に、ＨＥ側に位置する幹線Ｌ１を接続し、Ｆ型接栓Ｓ５にＨＥとは反対側の幹線Ｌ１’を接続し、Ｆ型接栓Ｓ２に引込線Ｌ１１を接続して、その先に情報端末（ケーブルモデム１５）を接続し、Ｆ型接栓Ｓ３に引込線Ｌ１２を接続して、その先に、受信端末（ＴＶ１９）を接続すると、ヘッドエンド５からの７０ＭＨｚ〜７７０ＭＨｚの周波数で構成される下り信号は、幹線Ｌ１より中継装置３７を介して、情報端末側の引込線Ｌ１１及び受信端末側の引込線Ｌ１２に伝送されて、屋内のケーブルモデム１５やＴＶ１９に入力され、情報端末からの１０ＭＨｚ〜５５ＭＨｚの周波数で構成される上り信号は、情報端末側の引込線Ｌ１１から中継装置３７を介して幹線Ｌ１上を伝送しヘッドエンド５に送られることとなる。
【００６１】
そして、中継装置３７では、図３（ａ）（ｂ）の中継装置３，４と同様に、受信端末側の引込線Ｌ１２に情報端末から送信された上り信号が漏れだして、受信端末に影響を与えないようにするため、内部の受信端末側に、ＨＰＦ、ＬＰＦ、終端抵抗等を備えている。
【００６２】
つまり、図５に示すように、中継装置３７は、内部に、Ｆ型接栓Ｓ４を介してＨＥ側の幹線Ｌ１に接続される第１ＣＡＴＶ接続端子Ｔ４と、Ｆ型接栓Ｓ５を介してヘッドエンド５とは反対側の幹線Ｌ１’に接続される第２ＣＡＴＶ接続端子Ｔ５と、Ｆ型接栓Ｓ２を介して情報端末に接続される情報端末用端子Ｔ２と、Ｆ型接栓Ｓ３を介して受信端末に接続される受信端末用端子Ｔ３と、下り信号を端末側に分岐する分岐回路４７と、下り信号を情報端末側と受信端末側とに分配する分配回路２７と、カットオフ周波数が７０ＭＨｚに設定されたＨＰＦ３１と、カットオフ周波数が５５ＭＨｚに設定されたＬＰＦ３３と、上り信号を吸収する終端抵抗（Ｒ）３３ｒと、を備えている。
【００６３】
そして、第１ＣＡＴＶ接続端子Ｔ４は、第２ＣＡＴＶ接続端子Ｔ５に接続され、第１ＣＡＴＶ接続端子Ｔ４と第２ＣＡＴＶ接続端子Ｔ５との間の伝送路上には、分岐回路４７が配置されている。また、分岐回路４７より分岐された支線側には、分配回路２７が接続されており、分配回路２７より端末側には、分配回路２７から情報端末用端子Ｔ２に繋がる送受信伝送路Ｌ９と、分配回路２７から受信端末用端子Ｔ３に繋がる受信伝送路Ｌ１０とが形成されている。
【００６４】
そして、受信伝送路Ｌ１０上にはＨＰＦ３１が配置され、ＨＰＦ３１より分配回路２７側となる受信伝送路Ｌ１０には、ＬＰＦ３３の入力端子が接続され、ＬＰＦ３３の出力端子には、終端抵抗３３ｒが接続されている。
したがって、中継装置３７において、情報端末用端子Ｔ２より内部に入力される上り信号の内、分配回路２７を介して受信伝送路Ｌ１０に漏れ出た上り信号は、図３に示した中継装置３，４と同様に、受信端末用端子Ｔ３への伝送をＨＰＦ３１で阻止される一方、ＬＰＦ３３に接続された終端抵抗３３ｒで吸収され、熱として発散する。そしてヘッドエンド５から第１ＣＡＴＶ接続端子Ｔ４を介して中継装置３７の内部に入力された下り信号は、分岐回路４７及び分配回路２７を介して、送受信伝送路Ｌ９と、受信伝送路Ｌ１０とに伝送され、送受信伝送路Ｌ９ではそのまま情報端末用端子Ｔ２より外部に送出され、受信伝送路Ｌ１０ではＨＰＦ３１を介して受信端末用端子Ｔ３より外部に送出される。
【００６５】
以上が双方向ＣＡＴＶシステム１，３９についての説明であるが、流合雑音の影響を防止するために、双方向ＣＡＴＶシステム１において、ＨＥ側と端末側との伝送経路に、ダウンコンバータ６７とアップコンバータ６９を設け、このダウンコンバータ６７とアップコンバータ６９の間の伝送経路で、１０ＭＨｚ〜５５ＭＨｚの上り信号を、下り信号よりも周波数の高い８００ＭＨｚ帯（例えば、８２１〜８６６ＭＨｚ）の信号に周波数変換して伝送させる図６の双方向ＣＡＴＶシステム７１において、中継装置３をアップコンバータ６９に内蔵することもできる。
【００６６】
以下、図６の双方向ＣＡＴＶシステム７１と、中継装置３を内蔵したアップコンバータ６９について説明する。尚、以下では、アップコンバータ６９による周波数変換前の１０ＭＨｚ〜５５ＭＨｚの信号を特に「上り信号Ｌ」と表現し、アップコンバータ６９により高い周波数（８００ＭＨｚ帯）に変換された上り信号を特に「上り信号Ｈ」と表現する。
【００６７】
尚また、図６は、建造物内にダウンコンバータ６７とアップコンバータ６９を備えた双方向ＣＡＴＶシステム７１に関する説明図である。また、図７は、ダウンコンバータ６７とアップコンバータ６９に関する説明図であり、図７（ａ）は、ダウンコンバータ６７の構成を表すブロック図、図７（ｂ）は、中継装置３を内部に備えるアップコンバータ６９の構成を表すブロック図である。
【００６８】
図６で示すように、双方向ＣＡＴＶシステム７１では、ヘッドエンド５（ＨＥ５）から送出される７０ＭＨｚ〜７７０ＭＨｚの下り信号と、情報端末から送出される１０ＭＨｚ〜５５ＭＨｚの上り信号Ｌと、が伝送される伝送路として、ヘッドエンド５から延長された幹線Ｌ１と、幹線Ｌ１から、タップオフ７を用いて分岐され建造物内に延長された引込線Ｌ２と、が設置されている。そして、引込線Ｌ２からは、保安器９と、アンプ１１とを介してダウンコンバータ６７（後述）が接続されて、ダウンコンバータ６７より端末側には屋内伝送線Ｌ３が配線され、更に、分配器１２を介して、屋内伝送線Ｌ４が建造物内の各部屋に配線されている。
【００６９】
そして、各部屋に配線された屋内伝送線Ｌ４は、各部屋に設けられたＣＡＴＶ端子１３に接続され、室内には、中継装置３が内蔵されたアップコンバータ６９（後述）が配置され、アップコンバータ６９のＣＡＴＶ入出力端子Ｔ１は、屋内伝送線Ｌ５を介してＣＡＴＶ端子１３に接続されている。
【００７０】
すなわち、ユーザーは、アップコンバータ６９の受信端末用端子Ｔ３に受信端末（ＴＶ１９）を接続し、情報端末用端子Ｔ２に情報端末（ケーブルモデム１５）を接続することにより双方向ＣＡＴＶシステム７１を利用することができるのである。
【００７１】
そして、この双方向ＣＡＴＶシステム７１において、ヘッドエンド５より送信される７０ＭＨｚ〜７７０ＭＨｚの下り信号は、建造物内のダウンコンバータ６７、アップコンバータ６９等を介して、受信端末（ＴＶ１９）に入力され、情報端末（ケーブルモデム１５）より送信される１０ＭＨｚ〜５５ＭＨｚの上り信号Ｌは、アップコンバータ６９により上り信号Ｈに変換されて、ダウンコンバータ６７に至る伝送経路上を伝送する。そして、ダウンコンバータ６７に入力された上り信号Ｈは、変換される前の上り信号Ｌに復元され、ＨＥ側に送出される。
【００７２】
尚、以下では、アップコンバータ６９及びダウンコンバータ６７について詳述する。
アップコンバータ６９は、図７（ｂ）に示すように、情報端末より送信される１０ＭＨｚ〜５５ＭＨｚの上り信号Ｌを、８００ＭＨｚ帯の上り信号Ｈに変換する周波数変換部６９ａと、中継装置３に相当する中継部６９ｂとから構成されている。
【００７３】
そして、周波数変換部６９ａには、ＨＥ側の伝送線に接続されるＣＡＴＶ入出力端子Ｔ１が備えられ、ＣＡＴＶ入出力端子Ｔ１と中継部６９ｂの分配回路２７との間には、下り信号をＣＡＴＶ入出力端子Ｔ１から中継部６９ｂに伝送する下り信号伝送路Ｌ１３と、上り信号を中継部６９ｂからＣＡＴＶ入出力端子Ｔ１に伝送する上り信号伝送路Ｌ１４と、が並列に形成されている。
【００７４】
つまり、下り信号伝送路Ｌ１３上のＣＡＴＶ入出力端子Ｔ１側には、カットオフ周波数が７７０ＭＨｚに設定されたＬＰＦ７３が配置されており、下り信号がＬＰＦ７３から中継部６９ｂ側へ伝送されるようになっている。そして、下り信号伝送路Ｌ１３のＬＰＦ７３より中継部６９ｂ側には、カットオフ周波数が７０ＭＨｚに設定されたＨＰＦ７５が配置されており、ＬＰＦ７３から入力された下り信号を中継部６９ｂ側へ通過させると共に、上り信号がＨＰＦ７５より下り信号伝送路Ｌ１３を通って、ＣＡＴＶ入出力端子Ｔ１側へと伝送されるのを阻止している。
【００７５】
また、上り信号伝送路Ｌ１４上の中継部６９ｂ側には、カットオフ周波数が５５ＭＨｚに設定されたＬＰＦ７７が配置されており、情報端末から送信される１０ＭＨｚ〜５５ＭＨｚの上り信号Ｌを選択的にＣＡＴＶ入出力端子Ｔ１側へと伝送している。そして、ＬＰＦ７７よりＣＡＴＶ入出力端子Ｔ１側には、周波数変換回路７９が配置され、ＬＰＦ７７より入力された上り信号Ｌを上り信号Ｈに変換し、ＣＡＴＶ入出力端子Ｔ１側へ出力している。そして、周波数変換回路７９よりＣＡＴＶ入出力端子Ｔ１側には、カットオフ周波数が８２１ＭＨｚに設定されたＨＰＦ８１が配置されており、周波数変換回路７９より出力された上り信号Ｈを選択的にＣＡＴＶ入出力端子Ｔ１側へと送出している。
【００７６】
したがって、アップコンバータ６９の周波数変換部６９ａにおいて、中継部６９ｂより入力された上り信号は、上り信号伝送路Ｌ１４を伝送し、周波数変換回路７９により上り信号Ｈに変換されて、ＣＡＴＶ入出力端子Ｔ１から出力され、ＣＡＴＶ入出力端子Ｔ１から入力された下り信号は、周波数変換等の処理を受けずに、下り信号伝送路Ｌ１３のＬＰＦ７３、ＨＰＦ７５を通過して、中継部６９ｂ側に出力されることとなる。
【００７７】
次に、中継部６９ｂは、図３（ａ）に示す中継装置３において、分配回路２７よりＨＥ側へ延びる伝送路を周波数変換部６９ａに接続した構成となっている。
つまり、中継部６９ｂは、分配回路２７と、ＨＰＦ３１、ＬＰＦ３３、終端抵抗３３ｒ、情報端末用端子Ｔ２、及び、受信端末用端子Ｔ３を備え、分配回路２７のＨＥ側には、周波数変換部６９ａが接続され、下り信号を端末側へ分配する分配回路２７からは、情報端末用端子Ｔ２に繋がる送受信伝送路Ｌ９、及び、受信端末用端子Ｔ３に繋がる受信伝送路Ｌ１０、が形成されている。
【００７８】
そして、受信伝送路Ｌ１０上には、カットオフ周波数が７０ＭＨｚに設定されたＨＰＦ３１が配置され、下り信号を選択的に受信端末用端子Ｔ３に伝送している。さらに、ＨＰＦ３１より分配回路２７側の受信伝送路Ｌ１０には、カットオフ周波数が５５ＭＨｚに設定されたＬＰＦ３３の入力端子が接続され、ＬＰＦ３３の出力端子には、終端抵抗３３ｒが接続されている。
【００７９】
したがって、図６、図７（ｂ）に示すアップコンバータ６９において、ＣＡＴＶ入出力端子Ｔ１から入力された下り信号は、情報端末用端子Ｔ２側と受信端末用端子Ｔ３側とに分配される一方、上り信号Ｌは、受信端末用端子Ｔ３に漏れ出すことなく、周波数変換部６９ａ側へ送出され、周波数変換部６９ａにて上り信号Ｈに周波数変換されて、ＣＡＴＶ入出力端子Ｔ１より出力されるのである。
【００８０】
次に、ダウンコンバータ６７は、ＨＥ側に設けられた第１接続端子Ｔ６と、端末側に配置された第２接続端子Ｔ７とを備え、第１接続端子Ｔ６と第２接続端子Ｔ７との間に、第１接続端子Ｔ６より第２接続端子Ｔ７へ下り信号を伝送する下り信号伝送路Ｌ１５、及び、第２接続端子Ｔ７より第１接続端子Ｔ６へ上り信号を伝送する上り信号伝送路Ｌ１６、を並列に形成している。
【００８１】
そして、下り信号伝送路Ｌ１５には、第１接続端子Ｔ６側に、カットオフ周波数が７０ＭＨｚに設定されたＨＰＦ８３が設けられ、ＨＰＦ８３より第２接続端子Ｔ７側には、下り信号を増幅するアンプ８５が配置され、アンプ８５より第２接続端子Ｔ７側には、カットオフ周波数が７７０ＭＨｚに設定されたＬＰＦ８７が配置されている。
【００８２】
つまり、下り信号伝送路Ｌ１５では、ＨＰＦ８３で、下り信号をアンプ８５を介してＬＰＦ８７に伝送させ、ＬＰＦ８７で、第２接続端子Ｔ７より入力された上り信号Ｈが下り信号伝送路Ｌ１５上を伝送し、第１接続端子Ｔ６側へと送出されないようにしているのである。
【００８３】
また、上り信号伝送路Ｌ１６には、第２接続端子Ｔ７側に、カットオフ周波数が８２１ＭＨｚに設定されたＨＰＦ８９が配置され、ＨＰＦ８９より第１接続端子Ｔ６側には、上り信号Ｈをアップコンバータ６９による周波数変換前の信号、つまり１０ＭＨｚ〜５５ＭＨｚの上り信号Ｌに復元する周波数変換回路９１が配置され、周波数変換回路９１より第１接続端子Ｔ６側には、ＬＰＦ９３が配置されている。
【００８４】
つまり、上り信号伝送路Ｌ１６では、ＨＰＦ８９で上り信号Ｈを選択的に周波数変換回路９１に通過させるようになっており、通過した上り信号Ｈは、周波数変換回路９１により１０ＭＨｚ〜５５ＭＨｚの上り信号Ｌに復元されたのち、ＬＰＦ９３を介して第１接続端子Ｔ６に伝送されるようになっている。また、ＬＰＦ９３では、第１接続端子Ｔ６から入力された下り信号が上り信号伝送路Ｌ１６上を経て第２接続端子Ｔ７より外部に出力されるのを阻止している。
【００８５】
したがって、第１接続端子Ｔ６を介してダウンコンバータ６７内に伝送される下り信号は、周波数変換の処理を受けずに下り信号伝送路Ｌ１５を伝送して、アップコンバータ６９側に出力され、アップコンバータ６９よりダウンコンバータ６７内に入力された上り信号Ｈは、周波数変換回路９１における周波数変換により元の上り信号Ｌに復元された後、ＨＥ側に送出されるのである。
【００８６】
この結果、アップコンバータ６９とダウンコンバータ６７との間、つまり図６の双方向ＣＡＴＶシステム７１では建造物内において、上り信号Ｌは、下り信号より高い周波数の上り信号Ｈとなり、従来より問題となっていた電化製品等から発生する低周波ノイズによる上り信号の歪みを抑制することができ、さらに、中継部６９ｂにおいて、受信端末に上り信号が入力され、ＴＶ等の映像に乱れが生じるなどの影響を防止することができるのである。
【００８７】
以上、ヘッドエンドから７０ＭＨｚ〜７７０ＭＨｚの下り信号が伝送され、情報端末から１０ＭＨｚ〜５５ＭＨｚの上り信号が伝送される第１実施例の双方向ＣＡＴＶシステム１，３９，７１について説明したが、上り信号と下り信号の周波数帯域が上記第１実施例と異なる場合には、上り信号と下り信号の周波数帯域に合わせて中継装置の内部を構成することができる。
【００８８】
つまり、例えば、双方向ＣＡＴＶシステムにおいて、有料放送用のデコーダがヘッドエンドへ有料放送の受信要求をする際に、下り信号より高い周波数の上り信号を送信する場合があるが、その場合には、図８に示すように中継装置を構成すればよいのである。
【００８９】
以下では、７０ＭＨｚ〜６０２ＭＨｚの周波数帯域の下り信号が伝送線を介してヘッドエンド５から情報端末または受信端末へ伝送され、１０ＭＨｚ〜５５ＭＨｚ及び６５０ＭＨｚ〜７７０ＭＨｚの周波数帯域の上り信号が伝送線を介して情報端末からヘッドエンド５へ伝送される第２実施例の双方向ＣＡＴＶシステムについて図８を用いて説明する。尚、ここでは、特に、１０ＭＨｚ〜５５ＭＨｚの上り信号を「第１上り信号」と、６５０ＭＨｚ〜７７０ＭＨｚの上り信号を「第２上り信号」と表現する。
【００９０】
尚また、図８は、第２実施例の中継装置３’，４’，３７’に関する説明図であり、図８（ａ）は中継装置３’の内部の構成を表すブロック図、図８（ｂ）は中継装置４’の内部の構成を表すブロック図、図８（ｃ）は中継装置３７’の内部の構成を表すブロック図である。
【００９１】
第２実施例の双方向ＣＡＴＶシステムでは、既述の第１実施例の双方向ＣＡＴＶシステム１，３９において、使用された中継装置３，４，３７を、上り信号及び下り信号の周波数帯域に合わせて、図８に示す構成の中継装置３’，４’，３７’に変更している。
【００９２】
すなわち、図８（ａ）に示す中継装置３’は、第１実施例の中継装置３（図３（ａ）参照）に代えて、第２実施例の双方向ＣＡＴＶシステムで使用されるものであり、ＣＡＴＶ入出力端子Ｔ１、情報端末用端子Ｔ２、受信端末用端子Ｔ３、分配回路２７、ＢＰＦ９３、ＬＰＦ９５、ＨＰＦ９７、及び、終端抵抗（Ｒ）９５ｒ，９７ｒを備えている。
【００９３】
そして、ＣＡＴＶ入出力端子Ｔ１は、分配回路２７に接続され、分配回路２７からは、情報端末用端子Ｔ２に接続される送受信伝送路Ｌ９、及び、受信端末用端子Ｔ３に接続される受信伝送路Ｌ１０が形成されている。
また、分配回路２７と受信端末用端子Ｔ３との間の受信伝送路Ｌ１０上には、カットオフ周波数が７０ＭＨｚ及び６０２ＭＨｚに設定されたＢＰＦ９３が配置され、ＢＰＦ９３より分配回路２７側の受信伝送路Ｌ１０には、カットオフ周波数が５５ＭＨｚに設定されたＬＰＦの入力端子、及び、カットオフ周波数が６５０ＭＨｚに設定されたＨＰＦ９７の入力端子、が夫々並列に接続されている。そして、ＬＰＦ９５の出力端子には、終端抵抗９５ｒが接続され、ＨＰＦ９７の出力端子には終端抵抗９７ｒが接続されている。
【００９４】
つまり、中継装置３’において、ＣＡＴＶ入出力端子Ｔ１より入力された下り信号は、分配回路２７を介して情報端末用端子Ｔ２側と受信端末用端子Ｔ３側に分配されて、伝送される。
そして、情報端末用端子Ｔ２から中継装置３’の内部へ出力された上り信号の内、分配回路２７を介して、受信伝送路Ｌ１０上に伝送された漏れ信号である上り信号は、ＢＰＦ９３により、受信端末用端子Ｔ３への通過を阻止され、第１上り信号はＬＰＦ９５に、第２上り信号は、ＨＰＦ９７に入力される。そして、その信号は、ＬＰＦ９５又はＨＰＦ９７を通過して、夫々の終端抵抗９５ｒ，９７ｒで吸収され、熱エネルギーとして外部に発散されるのである。
【００９５】
また、図８（ｂ）に示す中継装置４’は、図８（ａ）の中継装置３’の分配回路２７を分岐回路２９に置き換えたものである。
すなわち、中継装置４’において、ＣＡＴＶ入出力端子Ｔ１より入力された下り信号は、分岐回路２９を介して受信端末用端子Ｔ３と、支線側の情報端末用端子Ｔ２と、に伝送され、上り信号は、情報端末用端子Ｔ２から、分岐回路２９の支線側の送受信伝送路Ｌ９を伝搬して、分岐回路２９よりＨＥ側のＣＡＴＶ入出力端子Ｔ１に伝送される一方、分岐回路２９を介して受信端末用端子Ｔ３に繋がる受信伝送路Ｌ１０に漏れ出た上り信号は、受信伝送路Ｌ１０上のＢＰＦ９３により受信端末用端子Ｔ３への伝送を遮断されると共に、受信伝送路Ｌ１０上に接続されたＬＰＦ９５及びＨＰＦ９７の出力端子に繋がる終端抵抗９５ｒ，９７ｒにより、吸収される。
【００９６】
また、図８（ｃ）に示す中継装置３７’は、第１実施例の中継装置３７（図５参照）に代えて、第２実施例の双方向ＣＡＴＶシステムで使用されるものであり、図８（ａ）の中継装置３’の分配回路２７よりＨＥ側に、分岐回路４７を設けて、分岐回路４７の支線側を分配回路２７に接続し、更に、ＣＡＴＶ入出力端子Ｔ１に代えて、分岐回路４７のＨＥ側に第１ＣＡＴＶ接続端子Ｔ４を設け、第１ＣＡＴＶ接続端子Ｔ４とは反対側に、第２ＣＡＴＶ接続端子Ｔ５を設けたものである。  そして、図８（ｃ）の中継装置３７’は、第１ＣＡＴＶ接続端子Ｔ４にＨＥ側の幹線Ｌ１を接続し、第２ＣＡＴＶ接続端子Ｔ５にＨＥ側とは反対側の幹線Ｌ１’を接続して、情報端末に繋がる引込線Ｌ１１を情報端末用端子Ｔ２に接続し、受信端末に繋がる引込線Ｌ１２を受信端末用端子Ｔ３に接続して、使用される。
【００９７】
つまり、中継装置３７’において、第１ＣＡＴＶ接続端子Ｔ４より入力される下り信号は、第２ＣＡＴＶ接続端子Ｔ５より出力されて外部に伝送されると共に、分岐回路４７により分配回路２７側に伝送される。また、分配回路２７より分岐回路４７側に伝送される上り信号は、ＨＥ側の第１ＣＡＴＶ接続端子Ｔ４に伝送され、幹線Ｌ１に入力されてヘッドエンド５に伝送される。
【００９８】
したがって、中継装置３’，４’，３７’が用いられた第２実施例の双方向ＣＡＴＶシステムでは、第１実施例の双方向ＣＡＴＶシステム１と同様に、上り信号が下り信号の伝送を妨害し、また受信端末に影響を及ぼすのを防止することができるのである。尚、もちろん、中継装置３’，４’にはケース２６ａ，２６ｂを用いることができるし、中継装置３７’には、ケース本体４１に固定具４５を取り付けて、ワイヤー４３に固定することができる。
【００９９】
以上、本発明の実施例について説明したが、上記実施例において、中継装置３，４，３７，３’，４’，３７’と、中継部６９ｂと、に設けられた分岐回路２９，４７及び分配回路２７は、本発明の分岐分配手段に相当し、受信伝送路Ｌ１０上に設けられたＨＰＦ３１、ＢＰＦ９３は、本発明の下り信号通過手段に相当し、受信伝送路Ｌ１０に入力端子が接続されたＬＰＦ３３，９５、ＨＰＦ９７、及び、それらの出力端子に接続された終端抵抗３３ｒ，９５ｒ，９７ｒは本発明の上り信号吸収手段に相当するものである。
【０１００】
尚、本発明の双方向ＣＡＴＶシステムは、主に、受信端末に上り信号が入力されることによる影響を抑えるために、中継手段を備えたものであるから、その要旨に反しない限り、種々の態様を採ることができる。
例えば、第１実施例と第２実施例に挙げた周波数帯域の下り信号と周波数帯域の上り信号の組み合わせに限らず、他の周波数帯域の下り信号と、上り信号が双方向ＣＡＴＶシステム内を伝送する場合には、その周波数帯域に合わせて、ＨＰＦ、ＬＰＦ、ＢＰＦ等を組み合わせ、カットオフ周波数を設定すればよい。また、アップコンバータ６９で変換される上り信号Ｈは実施例に示した８００ＭＨｚ帯だけでなく、さらに高い周波数を使用してもよい。また、保安器、アンプ等は、その配置を実施例に限定するものではなく、適宜配置すれば良い。
【図面の簡単な説明】
【図１】  第１実施例の双方向ＣＡＴＶシステム１の構成を表す説明図である
【図２】  中継装置３の外形を表す説明図であり、概略斜視図である。
【図３】  中継装置３，４の内部の構成を表す説明図であり、ブロック図である。
【図４】  幹線Ｌ１に設置される中継装置３７に関する説明図である。
【図５】  中継装置３７の内部の構成を表す説明図であり、ブロック図である。
【図６】  アップコンバータ６９を備えた双方向ＣＡＴＶシステム７１の構成を表す説明図である。
【図７】  アップコンバータ６９及びダウンコンバータ６７の構成を表す説明図であり、ブロック図である。
【図８】  第２実施例の中継装置３’，４’，３７’の内部の構成を表す説明図であり、ブロック図である。
【符号の説明】
１，３９，７１…双方向ＣＡＴＶシステム
３，４，３７，３’，４’，３７’…中継装置
５…ヘッドエンド    ７…タップオフ    ９…保安器    １１，８５…アンプ
１３…ＣＡＴＶ端子    １５…ケーブルモデム
１９…ＴＶ    ２１ａ，２１ｂ，４１…ケース本体    ２３ａ，２３ｂ…螺子孔
２５ａ，２５ｂ…取付部    ２６ａ，２６ｂ…ケース    １２…分配器
２７…分配回路    ２９，４７…分岐回路
９３…ＢＰＦ    ３３，３４，７３，７７，８７，９３，９５…ＬＰＦ
３１，７５，８１，８３，８９，９７…ＨＰＦ
３３ｒ，３４ｒ，９５ｒ，９７ｒ…終端抵抗    ４３…ワイヤー
４５…固定具    ６７…ダウンコンバータ    ６９…アップコンバータ
６９ａ…周波数変換部    ６９ｂ…中継部    ７９，９１…周波数変換回路
Ｌ１…幹線    Ｌ２，Ｌ１１，Ｌ１２…引込線
Ｌ３，Ｌ４，Ｌ５，Ｌ６，Ｌ７…屋内伝送線
Ｌ８…入出力伝送路    Ｌ９…送受信伝送路    Ｌ１０…受信伝送路
Ｌ１３，Ｌ１５…下り信号伝送路    Ｌ１４，Ｌ１６…上り信号伝送路
Ｔ１…ＣＡＴＶ入出力端子    Ｔ２…情報端末用端子    Ｔ３…受信端末用端子
Ｔ４…第１ＣＡＴＶ接続端子    Ｔ５…第２ＣＡＴＶ接続端子
Ｔ６…第１接続端子    Ｔ７…第２接続端子
Ｓ１，Ｓ２，Ｓ３，Ｓ４，Ｓ５…Ｆ型接栓
【図１】
0004589515.tif 000002
【図２】
0004589515.tif 000003
【図３】
0004589515.tif 000004
【図４】
0004589515.tif 000005
【図５】
0004589515.tif 000006
【図６】
0004589515.tif 000007
【図７】
0004589515.tif 000008
【図８】
0004589515.tif 000009